(57)【要約】      （修正有）【課題】鋳物の造型ラインにおいて、鋳枠のガイドピン表面に付着した鋳砂を、効率良く清掃除去することが出来る、鋳枠のガイドピン清掃装置を提供することを目的にする。【解決手段】本発明の鋳枠のガイドピン清掃装置１では、ガイドピン８ａの収納口となる開口端面とガイドピンの収納空間とを有する筒部２と、前記筒部を前記筒部の軸周りに回転させる回転部３とを備え、前記筒部の内側に、ガイドピン表面をクリーニングするブラシを有することを特徴としている。【選択図】図１
2015089561.tif 000002
【特許請求の範囲】
【請求項１】
ガイドピンの収納口となる開口端面とガイドピンの収納空間とを有する筒部と、
前記筒部を前記筒部の軸周りに回転させる回転部とを備え、
前記筒部の内側に、ガイドピン表面をクリーニングするブラシを有する
ことを特徴とする鋳枠のガイドピン清掃装置。
【請求項２】
前記筒部の側面に、ガイドピンの収納空間に繋がる開口を有する
ことを特徴とする請求項１に記載の鋳枠のガイドピン清掃装置。
【請求項３】
前記ブラシが、螺旋状の内巻きブラシである
ことを特徴とする請求項１又は２記載の鋳枠のガイドピン清掃装置。
【発明の詳細な説明】
【技術分野】
【０００１】
本発明は、鋳物の造型ラインに用いられる鋳枠のガイドピン清掃装置に関する。
【背景技術】
【０００２】
鋳物の造型工程において、上下の鋳枠に造型した鋳型を型合わせする工程がある。この工程では、上下の鋳枠を精度良く重ね合せることが必要とされる。
このような重ね合わせを可能にする鋳枠として、特許文献１に、ガイドピンとガイドブッシュ（孔）を備えた鋳枠が開示されている。特許文献１に開示されているような鋳枠では、例えば図６の模式図のように、上鋳枠８のガイドピン８ａと、下鋳枠９のガイドブッシュ９ａとが嵌合され、上鋳枠８と下鋳枠９とが位置決めされる。
【０００３】
図６のような鋳枠では、精度良い位置決めの為に、ガイドピンとガイドブッシュとが正常に嵌合されることが必要となる。しかし、造型ラインでは、外部から飛来した鋳砂がガイドピン表面或いはガイドブッシュ内面に付着し易く、鋳枠の位置決め精度が悪くなることがある。よって、図６のような鋳枠を用いるには、ガイドピン表面或いはガイドブッシュ内面を定期的に清掃し、付着した鋳砂を除去することが必要となる。
また、特許文献２には、鋳枠のガイドブッシュ内面を清掃する為の清掃装置が開示されている。この装置では、ガイドブッシュ内面に付着した鋳砂を除去するのに回転ブラシを用いられている。
【先行技術文献】
【特許文献】
【０００４】
【特許文献１】特開平８−２２４６３７号公報
【特許文献２】実開昭５８−７１４４３号公報
【発明の概要】
【発明が解決しようとする課題】
【０００５】
図６のような鋳枠において、ガイドブッシュの内面は、特許文献２に開示されているような回転ブラシで清掃することが可能である。しかし、ガイドピン表面を、このような回転ブラシで清掃すると、回転ブラシをガイドピン周りに動かす必要があり、清掃に手間が掛かる。
【０００６】
そこで本発明では、鋳枠のガイドピン表面に付着した鋳砂を、効率良く清掃除去することが可能な、鋳枠のガイドピン清掃装置を提供する。
【課題を解決するための手段】
【０００７】
本発明の鋳枠のガイドピン清掃装置は、ガイドピンの収納口となる開口端面とガイドピンの収納空間とを有する筒部と、前記筒部を前記筒部の軸周りに回転させる回転部とを備え、前記筒部の内側に、ガイドピン表面をクリーニングするブラシを有している。
【０００８】
また、本発明の鋳枠のガイドピン清掃装置は、前記筒部の側面に、ガイドピンの収納空間に繋がる開口を有することが好ましい。
【０００９】
また、本発明の鋳枠のガイドピン清掃装置は、前記ブラシが、螺旋状の内巻きブラシであることが好ましい。
【発明の効果】
【００１０】
本発明の鋳枠のガイドピン清掃装置は、ガイドピンを筒部に収納して清掃するので、外部から飛来した鋳砂をガイドピン表面に付着し難くし、ガイドピン表面を効率良く清掃することが出来る。
【図面の簡単な説明】
【００１１】
【図１】本発明の第１実施形態である、鋳枠のガイドピン清掃装置を示す側面図である。
【図２】本発明の第１実施形態における、筒部の分解図である。
【図３】本発明の第１実施形態における、筒部の断面模式図である。
【図４】本発明の第１実施形態において、筒部にガイドピンを収納した状態を示す図である。
【図５】本発明の第２実施形態である、鋳枠のガイドピン清掃装置を示す側面図である。
【図６】鋳枠のガイドピンとガイドブッシュの嵌合状態を示す模式図である。
【発明を実施するための形態】
【００１２】
以下、本発明の鋳枠のガイドピン清掃装置の実施形態について、図面を参照しながら説明する。ただし、本発明は、以下の実施形態に限定されるものではない。
【００１３】
［第１実施形態］
図１に、本発明の第１実施形態である、鋳枠のガイドピン清掃装置１（以下、清掃装置１と称す）の側面図を示す。清掃装置１は、筒部２と、筒部２を軸周りに回転させる回転部３を備えている。そして、清掃装置１は、鋳枠（図では上鋳枠８）のガイドピン８ａを筒部２内部に収納することが出来、筒部２の回転により、ガイドピン８ａ表面を清掃することが出来る。
【００１４】
図２に、筒部２の分解図を示す。筒部２は、筒状のカップケース２ａと、内巻きブラシ２ｂと、筒状のスペーサ２ｃと、回転部３に接続されるフランジ２ｄと、取付ボルト２ｅを備えている。
カップケース２ａは、軸方向に端面を備え、該端面に開口Ａ、側面に開口Ｂ１を形成している。そして、スペーサ２ｃは、側面に開口Ｂ２を形成している。
内巻きブラシ２ｂは、螺旋状にして螺旋内周側にブラシ面を形成している。この内巻きブラシ２ｂは、必ずしも螺旋状である必要は無く、例えば、内周側にブラシ面を形成する円筒状のブラシにしても良い。しかし後述するように、螺旋状の内巻きブラシ２ｂは、ガイドピン表面から除去した鋳砂を、効率良く筒部外に排出させることが出来るので、好ましいものである。
【００１５】
図３は、筒部２の断面図である。筒部２では、内巻きブラシ２ｂがスペーサ２ｃを介してフランジ２ｄに接続され、カップケース２ａが内巻きブラシ２ｂとスペーサ２ｃに被せられ、カップケース２ａとフランジ２ｄとが取付けボルト２ｅにより固定されていて、回転部３の駆動力により、これら構成を一体にして回転出来るようにしている。
また、内巻きブラシ２ｂは、カップケース２ａにもフランジ２ｄにも固定されておらず、内巻きブラシ２ｂの端部２ｂａをスペーサ２ｃの凸部２ｃａに掛けて接続することで、ブラシ交換が容易な構造にしている。
また、スペーサ２ｃは、内巻きブラシ２ｂを、見掛け「かさ上げ」していて、筒部２より短いブラシにより、例えば図６のガイドピン８ａにおけるガイドブッシュ９ａと嵌合する表面部分８ａａ（以下、ガイドピン８ａの嵌合表面部８ａａと称す）を清掃出来るようにしている。
【００１６】
また、筒部２は、カップケース２ａの上端面の内径ａの開口Ａを収納口として、ガイドピンを、筒部２（カップケース２ａ）内部の収納空間に収納出来るようにしている。そして、収納したガイドピン表面を、内巻きブラシ２ｂにより清掃出来るようにしていて、例えば図６のガイドピン８ａにおいて、嵌合表面部８ａａを清掃出来るようにしている。従って、内巻きブラシ２ｂは、内周側のブラシ面をガイドピン８ａの嵌合表面部８ａａに確実に接触させることが好ましく、ブラシ内周径ｂがガイドピン８ａの嵌合部分の径よりも若干狭いブラシにして、嵌合表面部８ａａに付着した鋳砂を効果的に除去出来るようにすることが好ましい。
また、筒部２は、カップケース２ａの開口Ｂ１と、スペーサ２ｃの開口Ｂ２との重なりからなる、長径ｃの開口Ｂを側面に形成している。開口Ｂは、必ずしも筒部２に必要なものでは無いが、後述するように、ガイドピン８ａ表面から除去した鋳砂を、筒部２の外部に容易に排出させることが出来るので、好ましいものである。
【００１７】
図４は、ガイドピン８ａを収納した筒部２の状態を示す図である。
図の状態において、内巻きブラシ２ｂの内周側のブラシ面が、ガイドピン８ａの嵌合表面部８ａａに接触していて、このまま筒部２を回転させることにより、ガイドピン８ａの嵌合表面部８ａａを清掃出来るようにしている。また、清掃の際、カップケース２ａと内巻きブラシ２ｂは、清掃中のガイドピン８ａの嵌合表面部８ａａを覆うので、外部から飛来した鋳砂を、ガイドピン８ａ表面に付着し難くし、ガイドピン８ａ表面を効率良く清掃出来るようにしている。
また、筒部２の回転方向と内巻きブラシ２ｂの螺旋方向とを適切に組み合わせることで、ガイドピン８ａ表面から除去した鋳砂を、図中の矢印の方に移動させ、開口Ｂから筒部２の外部に排出させることも出来る。これにより、清掃により除去した鋳砂が筒部２内に蓄積することを予防することが出来、長期間に亘りガイドピン８ａを清掃することが可能な清掃装置１にすることが出来る。また、清掃の際、筒部２を回転させることにより、外部から飛来した鋳砂が、開口Ｂから筒部２内部に侵入し難くするなるので、開口Ｂがあっても、ガイドピン８ａ表面に鋳砂を付着し難くすることが出来る。
【００１８】
［第２実施形態］
図５に、本発明の第２実施形態である、鋳枠のガイドピン清掃装置１０（以下、清掃装置１０と称す）の側面図を示す。なお、図５の第２実施形態において、第１実施形態と同様の構成には、第１実施形態と同じ符号を付している。
【００１９】
清掃装置１０は、筒部２と回転部３を有する第１実施形態の清掃装置１を２式と、エアシリンダ４を２式と、２軸センタリング機構５と、固定部６とを備えている。
清掃装置１は、エアシリンダ４により昇降させることが出来、清掃装置１を上昇させることで、ガイドピン８ａを筒部２内部に収納出来ようにしている。そして、エアシリンダ４を支持する２軸センタリング機構５により、ガイドピン８ａが筒部２に対して多少ズレていても、ガイドピン８ａを筒部２内部に確実に収納出来るようにしている。そして、ガイドピン８ａを筒部２の内部に収納したまま筒部２を回転させることにより、ガイドピン８ａ表面を清掃出来るようにしている。
【００２０】
清掃装置１０は、第１実施形態の清掃装置１を２式備えるので、ガイドピン８ａを一度に２式清掃することが出来る。従って、図５のように、鋳枠が連続して流れる造型ラインにおいて、隣合う鋳枠のガイドピン８ａを一度に清掃することが出来、例えば、造型ラインの支柱７に固定部６を固定して、ライン据え置きの清掃装置として用いることも出来る。
【００２１】
以上、本発明の鋳枠のガイドピン清掃装置について説明してきたが、本発明は、上記実施形態に限定されるものでは無い。例えば、第１実施形態では、ケースとブラシが別々に設けられた内筒を用いたが、ケースとブラシが一体となった内筒を用いることも出来る。
【符号の説明】
【００２２】
１，１０    ガイドピン清掃装置
２    筒部
２ａ    カップケース
２ｂ    内巻きブラシ
２ｂａ    端部
２ｃ    スペーサ
２ｃａ    凸部
２ｄ    フランジ
２ｅ    取付けボルト
３    回転部
４    エアシリンダ
５    ２軸センタリング機構
６    固定部
７    支柱
８    上鋳枠
８ａ    ガイドピン
８ａａ    嵌合表面部
９    下鋳枠
９ａ    ガイドブッシュ
Ａ，Ｂ，Ｂ１，Ｂ２，    開口
【図１】
2015089561.tif 000003
【図２】
2015089561.tif 000004
【図３】
2015089561.tif 000005
【図４】
2015089561.tif 000006
【図５】
2015089561.tif 000007
【図６】
2015089561.tif 000008